(57)【要約】【課題】外部情報処理装置内に保存された画像データ及び情報処理装置内に保存された画像データのうちから画像データを選択して、その画像データをアプリケーションソフトウェアに渡して処理を行わせることができる情報処理装置及びＴＷＡＩＮドライバを提供する。【解決手段】複合機３内に保存された画像データ、情報処理装置１内に保存された画像データ、及びネットワーク２内の共有フォルダに保存された画像データのうちから画像データを選択して、その画像データをアプリケーションソフトウェアに渡して処理を行わせる。【選択図】図１
2008172288.tif 000002
【特許請求の範囲】
【請求項１】
外部情報処理装置と所定の通信経路を介して接続された情報処理装置であって、
ドキュメント処理を行うためのアプリケーションソフトウェアが記憶されると共に、画像データが保存可能な記憶部と、操作入力を受け付ける操作部と、前記記憶部から読み込んだ前記アプリケーションソフトウェアに基づいて情報処理を行う情報処理部とを備え、
前記情報処理部は、前記アプリケーションソフトウェアに基づく情報処理による要求に応じ、前記外部情報処理装置内に保存された画像データ及び前記記憶部に保存された画像データのうちから前記操作部を介した操作入力により指定された画像データを選択し、その画像データに対して前記アプリケーションソフトウェアに基づく情報処理を施すことを特徴とする情報処理装置。
【請求項２】
請求項１に記載の情報処理装置において、
前記情報処理装置は所定のネットワークに接続され、
前記情報処理部は、前記アプリケーションソフトウェアに基づく情報処理による要求に応じ、前記外部情報処理装置内に保存された画像データ、前記記憶部に保存された画像データ、及び、前記ネットワーク内に設けられた共有フォルダに保存された画像データのうちから前記操作部を介した操作入力により指定された画像データを選択し、その画像データに対して前記アプリケーションソフトウェアに基づく情報処理を施すことを特徴とする情報処理装置。
【請求項３】
請求項１又は請求項２に記載の情報処理装置において、
前記外部情報処理装置は、ネットワークにより前記情報処理装置と接続された複合機であることを特徴とする情報処理装置。
【請求項４】
外部情報処理装置と所定の通信経路を介して接続された情報処理装置であって、
画像データを保存可能な記憶部と、
操作入力を受け付ける操作部と、
前記外部情報処理装置内に保存された画像データ及び前記記憶部に保存された画像データのうちから前記操作部を介した操作入力により指定された画像データを選択し、その選択した画像データに対する処理を行う情報処理部と、を備えることを特徴とする情報処理装置。
【請求項５】
外部情報処理装置と所定の通信経路を介して接続されたコンピュータに読み込まれるＴＷＡＩＮドライバであって、
当該ＴＷＡＩＮドライバが読み込まれた前記コンピュータに、
前記コンピュータにインストールされているアプリケーションソフトウェアからの要求に応じ、前記外部情報処理装置内に保存された画像データ及び前記コンピュータに備えられた記憶部内に保存された画像データのうちから、前記コンピュータに備えられた操作部を介して与えられる操作入力により指定された画像データを前記アプリケーションソフトウェアに渡すよう動作させることを特徴とするＴＷＡＩＮドライバ。
【発明の詳細な説明】
【技術分野】
【０００１】
本発明は、外部情報処理装置と所定の通信経路を介して接続された情報処理装置及びＴＷＡＩＮドライバに関する。
【背景技術】
【０００２】
この種の従来技術としては、ネットワークを介して画像読み取り装置と接続されたクライアント装置であって、画像読み取り装置から送られてくるイメージデータを常時接続モードで待ち受けることが可能なイメージデータ受信手段と、受信したイメージデータを蓄積する手段と、指令を入力するための操作手段と、操作手段を介して入力された指令に従ってイメージデータ蓄積手段からイメージデータを取り出し、取り出したイメージデータに指令により指示された設定条件による処理を施すイメージデータ処理手段とを備えたものがある（特許文献１、請求項１等）。
【特許文献１】特開２００２−３３０２４９号公報
【発明の開示】
【発明が解決しようとする課題】
【０００３】
しかしながら、上記の従来技術では、イメージデータ受信手段が画像読み取り装置から受信した画像データについて処理を行えるのみで、イメージデータ受信手段以外に保存されている画像データに対して処理を施すことができない。
【０００４】
そこで、本発明の解決すべき課題は、外部情報処理装置内に保存された画像データ及び情報処理装置内に保存された画像データのうちから画像データを選択して、その画像データをアプリケーションソフトウェアに渡して処理を行わせることができる情報処理装置及びＴＷＡＩＮドライバを提供することである。
【課題を解決するための手段】
【０００５】
上記の課題を解決するため、請求項１の発明では、外部情報処理装置と所定の通信経路を介して接続された情報処理装置であって、ドキュメント処理を行うためのアプリケーションソフトウェアが記憶されると共に、画像データが保存可能な記憶部と、操作入力を受け付ける操作部と、前記記憶部から読み込んだ前記アプリケーションソフトウェアに基づいて情報処理を行う情報処理部とを備え、前記情報処理部は、前記アプリケーションソフトウェアに基づく情報処理による要求に応じ、前記外部情報処理装置内に保存された画像データ及び前記記憶部に保存された画像データのうちから前記操作部を介した操作入力により指定された画像データを選択し、その画像データに対して前記アプリケーションソフトウェアに基づく情報処理を施す。
【０００６】
また、請求項２の発明では、請求項１の発明に係る情報処理装置において、前記情報処理装置は所定のネットワークに接続され、前記情報処理部は、前記アプリケーションソフトウェアに基づく情報処理による要求に応じ、前記外部情報処理装置内に保存された画像データ、前記記憶部に保存された画像データ、及び、前記ネットワーク内に設けられた共有フォルダに保存された画像データのうちから前記操作部を介した操作入力により指定された画像データを選択し、その画像データに対して前記アプリケーションソフトウェアに基づく情報処理を施す。
【０００７】
また、請求項３の発明では、請求項１又は請求項２の発明に係る情報処理装置において、前記外部情報処理装置は、ネットワークにより前記情報処理装置と接続された複合機である。
【０００８】
また、請求項４の発明では、外部情報処理装置と所定の通信経路を介して接続された情報処理装置であって、画像データを保存可能な記憶部と、操作入力を受け付ける操作部と、前記外部情報処理装置内に保存された画像データ及び前記記憶部に保存された画像データのうちから前記操作部を介した操作入力により指定された画像データを選択し、その選択した画像データに対する処理を行う情報処理部とを備える。
【０００９】
また、請求項５の発明では、外部情報処理装置と所定の通信経路を介して接続されたコンピュータに読み込まれるＴＷＡＩＮドライバであって、当該ＴＷＡＩＮドライバが読み込まれた前記コンピュータに、前記コンピュータにインストールされているアプリケーションソフトウェアからの要求に応じ、前記外部情報処理装置内に保存された画像データ及び前記コンピュータに備えられた記憶部内に保存された画像データのうちから、前記コンピュータに備えられた操作部を介して与えられる操作入力により指定された画像データを前記アプリケーションソフトウェアに渡すよう動作させる。
【発明の効果】
【００１０】
請求項１に記載の発明によれば、外部情報処理装置内に保存された画像データ及び情報処理装置内に保存された画像データのうちから画像データを選択して、その画像データをアプリケーションソフトウェアに渡して処理を行わせることができ、便利であり、ユーザの要望にも柔軟に対応できる。
【００１１】
請求項２に記載の発明によれば、ネットワーク内に設けられた共有フォルダに保存された画像データについても、それを選択してアプリケーションソフトウェアに渡して処理を行わせることができ、便利である。
【００１２】
請求項３に記載の発明によれば、複合機で取り込んだ画像データに対して容易に処理を行うことができ、便利である。
【００１３】
請求項４に記載の発明によれば、外部情報処理装置内に保存された画像データ及び情報処理装置内に保存された画像データのうちから画像データを選択して、その画像データに対する処理を行うことができ、便利であり、ユーザの要望にも柔軟に対応できる。
【００１４】
請求項５に記載の発明によれば、外部情報処理装置内に保存された画像データ及び情報処理装置内に保存された画像データのうちから画像データを選択して、その画像データをアプリケーションソフトウェアに渡して処理を行わせることができ、便利であり、ユーザの要望にも柔軟に対応できる。
【発明を実施するための最良の形態】
【００１５】
図１は、本発明の一実施形態に係る情報処理装置のブロック図である。まず、この情報処理装置１及びそれが接続されるシステム全体の構成に関して、概略説明を行う。
【００１６】
この情報処理装置１は、図１に示すように、互いにバス１０によって接続された情報処理部としての制御部１１、表示部１２、操作部１３、記憶部１４、及び外部インターフェース１５を備えて構成されている。また、この情報処理装置１は、ＬＡＮ（Local Area Network）等によって構成される通信経路としてのネットワーク２を介して、外部情報処理装置としてのファクシミリ複合機（以下、単に「複合機」という）３及び一又は複数の端末装置４と接続されている。なお、本実施形態に係る情報処理装置１及び端末装置４は、パーソナルコンピュータ（以下、「ＰＣ」という）等によって構成される。
【００１７】
制御部１１は、この情報処理装置１の制御を統括するものであり、ＣＰＵ等を備えて構成されており、記憶部１４に記憶されたプログラムを読み込んで実行することにより、そのプログラムに規定された種々の情報処理を実行するようになっている。
【００１８】
操作部１３は、この情報処理装置１に対する操作入力を受け付けるためのものであり、キーボード、マウス等を備えて構成されている。
【００１９】
記憶部１４は、ＲＯＭ、ＲＡＭ及びハードディスク装置等の記憶装置を備えて構成されており、制御部１１が実行するための各種プログラム、この情報処理装置１の動作設定に関する設定データ、及び、ユーザ等が保存した各種保存データが記憶されている。
【００２０】
外部インターフェース１５は、この情報処理装置１をネットワーク２に接続するためのものである。制御部１１には、この外部インターフェース１５と協働して、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。
【００２１】
複合機３は、プリンタ機能、ファクシミリ機能（インターネットファクシミリ機能を含む）、コピー機能、及びスキャナ機能等を備えている。スキャナ機能には、スキャナ部で読み取った画像データを所定のネットワーク２内の共有フォルダに保存するいわゆるスキャン・トゥ・フォルダ機能が含まれている。
【００２２】
複合機３内の記憶部３ａには、この複合機３のスキャナ機能により読み取られた画像データファイル、ファクシミリ送受信画像に関する画像データファイル等が保存できるようになっている。
【００２３】
また、この複合機３は、所定のＴＷＡＩＮドライバがインストールされたＰＣ等によって、この複合機３の記憶部３ａに保存された画像データをＰＣ内に取り込んだり、複合機３で読み取られた画像データを各ＰＣの共有フォルダで受信したり、ＰＣからの遠隔操作により複合機３に画像読み取り動作を行わせ、その画像データをＰＣの共有フォルダ内に取り込んだりすることができるようになっている。
【００２４】
端末装置４は、情報処理装置１とほぼ同様な構成を有しており、その構成に関する詳細な説明は省略する。
【００２５】
また、この情報処理装置１には、この情報処理装置１に後述するような処理動作を実行させるための所定のＴＷＡＩＮドライバがインストールされている。以下に、その処理動作について説明する。
【００２６】
この情報処理装置１には、所定のＴＷＡＩＮドライバ及びドキュメント処理（例えば、書類作成、印刷、ファクシミリ送信等）を行うためのアプリケーションソフトウェアがインストールされている。これらのドライバ及びソフトウェアは、記憶部１４に格納されており、必要に応じて制御部１１に読み込まれて実行されることにより、この情報処理装置１に所定の処理動作を行わせるようになっている。
【００２７】
本実施形態に係るＴＷＡＩＮドライバは、この情報処理装置１に、アプリケーションソフトウェアに基づく情報処理による要求に応じ、複合機３の記憶部３ａ内に保存された画像データ、情報処理装置１の記憶部１４内に保存された画像データ、及び、ネットワーク２内に設けられた共有フォルダ内に保存された画像データのうちから操作部１３を介した操作入力により指定された画像データを前記要求元のアプリケーションソフトウェアに渡すよう動作させようになっている。
【００２８】
また、アプリケーションソフトウェアは、ＴＷＡＩＮドライバと連携できるようになっており、この情報処理装置１に、ＴＷＡＩＮドライバから受け取った画像データに基づき、操作部１３を介して与えられる操作入力等に応じたドキュメント処理（例えば、書類作成、印刷、ファクシミリ送信等）を行うよう動作させるようになっている。
【００２９】
その処理動作のより詳細な内容について、図２ないし図５を参照して説明する。図２に示すように、ステップＳ１にて、実行中のアプリケーションソフトウェアからＴＷＡＩＮドライバに対する画像データ取得要求があると、ステップＳ２に進む。
【００３０】
ステップＳ２では、例えば図３に示すように、画像データ取得先をユーザに選択させるための操作入力画像２１が、表示部１２に表示され、ユーザの操作部１３を介した操作入力により画像データ取得先として複合機３（ＭＦＰ）が選択された場合にはステップＳ６に進み、画像データ取得先として情報処理装置１又はネットワーク１内の共有フォルダが選択された場合にはステップＳ３に進む。
【００３１】
なお、この情報処理装置１に登録されている複合機３が１つだけの場合は、画像データ取得先として複合機３が選択された場合には、ステップＳ３でその複合機３に対するログイン処理が行われるが、複数の複合機３が登録されている場合において、画像データ取得先として複合機３が選択された場合には、ユーザにその複数の複合機３のうちから１つの複合機３を選択させるための選択受付処理が行われるようになっている。
【００３２】
ステップＳ３では、例えば図４に示すように、取得すべき画像データをユーザに選択させるため等の操作入力画像３１が、表示部１２に表示され、情報処理装置１及びネットワーク２内における画像データ取得先のフォルダや画像データファイルの選択操作の受け付け等が行われる。この操作入力画像３１内には、フォルダ構成表示部３１ａ、ファイルリスト表示部３１ｂ、プレビュー表示部３１ｃ、解像度設定部３１ｄ、読み取り範囲設定部３１ｅ及びピクセルタイプ設定部３１ｆなどが設けられている。
【００３３】
フォルダ構成表示部３１ａには、この情報処理装置１の記憶部１４内に設けられたフォルダ及びネットワーク１内の他の端末装置４等に設けられた共有フォルダの構成が表示され、画像データの取得先のフォルダを操作部１３を介して選択できるようになっている。ファイルリスト表示部３１ｂには、フォルダ構成表示部３１ａにて選択されたフォルダ内に保存されている画像ファイルのリストが表示され、このリストの中からユーザが操作部１３を取得したい画像データを選択できるようになっている。プレビュー表示部３１ｃには、ファイルリスト表示部３１ｂにて選択された画像データファイルの画像が縮小サイズで表示される。このプレビュー表示機能はチェックボタン３１ｇへのチェック付与の有無により、ユーザ操作で切り替えられるようになっている。
【００３４】
解像度設定部３１ｄでは、複数のラジオボタンのうちから所望の解像度に対応するラジオボタンを操作することにより、画像データを取り込む際の解像度を調節できるようになっている。読み取り範囲設定部３１ｅでは、画像データファイルに複数ページの画像データが含まれている場合に、取り込むべきデータのページ範囲を指定できるようになっている。ピクセルタイプ設定部３１ｆでは、画像データを取り込む際のピクセルタイプを白黒２値画像として取り込むか、グレースケール画像として取り込むかを指定できるようになっている。
【００３５】
取り込むべき画像データが決まり、画像データの取り込みの際の解像度等の条件設定が完了すると、操作部１３を介して読み込みボタン３１ｈを操作することにより、そのときに指定されている画像データが指定の設定条件に基づいて取り込まれ、アプリケーションソフトウェアに渡されるようになっている。この画像データの取り込み動作を終了させたい場合には、操作部１２を介して終了ボタン３１ｉを操作することにより、終了できるようになっている。
【００３６】
ステップＳ４では、取り込み対象の画像データが指定されたか否か、すなわち読み込みボタン３１ｈが操作されたか否かが判断され、読み込みボタン３１ｈが操作された場合にはステップＳ５に進む一方、読み込みボタン３１ｈが操作されない場合にはステップＳ３に戻り、読み込みボタン３１ｈの操作が行われるまで、ステップＳ３，Ｓ４の処理が繰り返される。
【００３７】
ステップＳ５では、ステップＳ４で指定された画像データが選択されているフォルダから取り込まれて、要求元のアプリケーションソフトウェアに渡され、その画像データに基づくアプリケーションソフトウェアによる処理が行われる。
【００３８】
一方、ステップＳ２で画像データ取得先として複合機３が選択された場合には、ステップＳ６にて、ログイン処理が行われる。このログイン処理では、その複合機３へのアクセス権限に関連するユーザ情報（例えば、ユーザＩＤ、パスワード）を操作部１３等を介して入力させ、そのユーザ情報をネットワーク２を介してアクセス先の複合機３に送り、複合機３にてアクセス権限の有無を確認させるようになっている。そして、アクセス先の複合機３によりアクセス権限が認められた場合にのみ、その複合機３の保存データへのアクセス等が許容され、ステップＳ７に進むようになっている。
【００３９】
ステップＳ７では、例えば図５に示すように、取得すべき画像データをユーザに選択させるため等の操作入力画像４１が、表示部１２に表示され、複合機３内における画像データ取得先のフォルダや画像データファイルの選択操作の受け付け等が行われる。この操作入力画像４１は、前述の操作入力画像３１とほぼ同様な構成であり、フォルダ構成表示部３１ａ、ファイルリスト表示部３１ｂ、プレビュー表示部３１ｃ、解像度設定部３１ｄ、読み取り範囲設定部３１ｅ及びピクセルタイプ設定部３１ｆなどが設けられている。この操作入力画像４１が操作入力画像３１と実質的に異なる点は、フォルダ構成表示部３１ａ及びファイルリスト表示部３１ｂの表示対象がアクセス先の複合機３の記憶部３ａに設けられたフォルダ構成、及び各フォルダ内に保存された画像データファイルのリスト等である点のみであり、互いに対応する部分は同一の参照符号を付して説明の重複を回避する。
【００４０】
ステップＳ８では、取り込み対象の画像データが指定されたか否か、すなわち読み込みボタン３１ｈが操作されたか否かが判断され、読み込みボタン３１ｈが操作された場合にはステップＳ９に進む一方、読み込みボタン３１ｈが操作されない場合にはステップＳ７に戻り、読み込みボタン３１ｈの操作が行われるまで、ステップＳ７，Ｓ８の処理が繰り返される。
【００４１】
ステップＳ９では、ステップＳ８で指定された画像データが選択されているフォルダから取り込まれて、要求元のアプリケーションソフトウェアに渡され、その画像データに基づくアプリケーションソフトウェアによる処理が行われる。
【００４２】
以上のように、本実施形態によれば、複合機３内に保存された画像データ、情報処理装置１内に保存された画像データ、及びネットワーク２内の共有フォルダに保存された画像データのうちから画像データを選択して、その画像データをアプリケーションソフトウェアに渡して処理を行わせることができ、便利であり、ユーザの要望にも柔軟に対応できる。例えば、複合機３のスキャン・トゥ・フォルダ機能を利用して複合機３にネットワーク２内の共有フォルダに保存させた画像データについても、ＴＷＡＩＮドライバを経由してプリケーションソフトウェアに受け渡すことができ、利便性が高い。
【図面の簡単な説明】
【００４３】
【図１】本発明の一実施形態に係る情報処理装置のブロック図である。
【図２】図１の情報処理装置のＴＷＡＩＮドライバを利用した画像データの受渡し処理に関するフローチャートである。
【図３】図１の情報処理装置で表示される操作入力画像の一例を示す図である。
【図４】図１の情報処理装置で表示される操作入力画像の一例を示す図である。
【図５】図１の情報処理装置で表示される操作入力画像の一例を示す図である。
【符号の説明】
【００４４】
１  情報処理装置
２  ネットワーク
３  ファクシミリ複合機
４  端末装置
１１  制御部
１２  表示部
１３  操作部
１４  記憶部
１５  外部インターフェース
【図１】
2008172288.tif 000003
【図２】
2008172288.tif 000004
【図３】
2008172288.tif 000005
【図４】
2008172288.tif 000006
【図５】
2008172288.tif 000007